(57)【要約】      （修正有）【課題】ゴルフボールのティーアップが何時でも所定の高さに設定できて、かつそれがボールマーカーの付いているグリーンフォークでもあり、ポケットに入れてもかさばらないティーセッターを提供する。【解決手段】ティーセッター本体１とその下端部に設けた地面への接地部６と、その接地部からティーの高さを設定するためのストッパー５を備えていることを特徴とするものである。ストッパーにティー３１の載置面３２を合わせ、そのティーを親指で押さえたままティー先端３３を地面に突き刺し、接地部６が地面へ接した時、ティーが所望の高さに設定される。【選択図】図１
0003144065.tif 000002
【実用新案登録請求の範囲】
【請求項１】
ゴルフボールを地面にティーアップする際の、ティーの地面からの高さを所望の高さに設定するためのティーセッターであって、ティーセッター本体とその下端部に設けた地面への接地部と、その接地部からティーの高さを設定するためのストッパーを備えていることを特徴とするティーセッター。
【請求項２】
前記ティーセッター本体の上端部に、グリーン上にボールが落下したときの衝撃で出来たディポットを、修復するときに使うグリーンフォークを備えていることを特徴とする、請求項１に記載するティーセッター。
【請求項３】
前記ティーセッター本体の中央部に、着脱可能に取り付けたマーカーを備えていることを特徴とする、請求項１又は２に記載するティーセッター。
【請求項４】
前記ストッパーは、ティーセッター本体の中央部に設けたスライダー板ガイドと、このガイドに案内されて上下に移動する目盛り付スライダー板と、スライダーをティーセッター本体に固定するスライダー板固定ダイヤルよりなり、前記ガイドとスライダー板はスライダー板を任意の位置に固定するための目盛りを備えていることを特徴とする請求項１、２又は３に記載するティーセッター。
【考案の詳細な説明】
【技術分野】
【０００１】
本考案はゴルフ場のティーグラウンドにおいて、ティーアップされるゴルフボールの高さを任意に設定し、常にその高さにセットすることを可能とするティーセッターに関するものである。
【背景技術】
【０００２】
ゴルフのティーショットでは、ゴルフボールを地面より少し高い位置に保持して打つため、ティーアップが行われるが、このときボールを乗せるティーを使う。ティーは上端にゴルフボールを乗せる載置面を有し、下端が尖った形でこれを地面に突き刺し、反対側の載置面にボールを乗せて使用する。
この様にゴルフボールをティーアップすることでゴルファーは、ティーショットをする際にクラブヘッドのスイートスポットに当てやすくなるので、真っ直ぐに思い通りのショットが出来て、ドライバーショットでは打球の飛距離を延ばすことも出来る。
又ティーの地面への刺し込む量を調節して、ティーアップされたボールの高さを微調整することで、そのホールの形状や風向きに合わせて、打ち出すボールの高低や球筋を打ち分けたりすることが行われている。
【０００３】
このようにティーアップされたゴルフボールの高さの違いによって、ティーショットした打球の球筋や飛距離が繊細に変化するにもかかわらず、ゴルファーはティーアップされたボールの高さを正確に測定することはなく、ティーを差し込む手の感覚や目測でティーアップを実行していた。その結果ティーアップされたボールの高さは微妙なずれが生じ、そのずれがティーショットの失敗を誘発すると言うことがあった。
【０００４】
また、ゴルフのマナーはバンカーの砂ならしや、ショットの跡に出来たターフの埋め戻しなど色々あるが、ボールが落下したときの衝撃で出来たディポットの修復もその一つである。なかでもパットをするグリーンは、微妙な傾斜がボールの転がりに影響を与え、このゲームを最も面白くするところであるので、ここでのディポットの修復はゴルファーなら必ず行わなければならない大切なマナーである。
近年ゴルファーの世代交代が進み、新しいゴルファーが増えてきた。そのせいかこのマナーが守られていない傾向が出てきた。その理由がグリーンフォークを携帯していないゴルファーが多いからである。このようなゴルファーにグリーンフォークを持たせ、マナーを守らせる工夫が待ち望まれている。
【０００５】
そこでティーアップの時、ゴルフボールの高さを正確に行うためのティーセッターが特許文献１に、また、グリーンフォークにマーカーを取り付ける案が特許文献２に、ティー自体の工夫で高さを設定するティーが特許文献３に提案されている。
（特許文献１〜３参照）
【０００６】
【特許文献１】実登３１１７５４２号公報
【特許文献２】実開平６−１５６６６号公報
【特許文献３】特開平８−３８６６３号公報
【考案の開示】
【考案が解決しようとする課題】
【０００７】
特許文献１は、器具に丸い筒状の穴を開け、その穴にティーの載置面からティーを挿入し、その器具でティーを地面に突き刺し、その穴の深さがティーアップの高さになるように考えられたものである。
しかし、この案は使用する時ティーを保持した指が邪魔になり、最初ティーを落さないように指で保持したまま少し地面に刺し込み、その後、指を離して地面と器具の間から指をどけ、そして該器具を地面に押しつけるという動作をする事となり、一度の動作で刺し込むことが出来なくて使いづらい。
また、ティーには大小が有るので載置面の大きいティーは使えない。それが使えるように穴を大きくすると、小さい載置面のティーはゆるゆるで落としやすい。穴の数が多いと外から穴の深さが判らず、どの穴を使うか選択するのに迷う。また近年の大型ヘッドに合わせた長いティーを使えるようにすると、ティーセッター自体も大きくなる。
もっとも不便なことは、作られたティーセッターにあけられた穴の深さに、ティーの高さが限定されて、使用者が任意の高さに調節することが出来ないことである。
以上の点を改良した、使いやすいティーセッターが求められる。
【０００８】
特許文献２は、グリーンフォークにマーカー保持部を設け、マーカーを刺し込み保持するとある。なるほどプレイヤーはグリーン上へ上がると、まずグリーンフォークを取り出してディポットを直す。そしてボールの所へ行きポケットからマーカーを取り出して、マークをしてボールを拾い上げる。このようにグリーン上で一緒に使うグリーンフォークにマーカーを取り付けた事は、一度に取り出せてなかなかの名案である。
ところがティーとマーカーはプレーの必需品なのでゴルフ場に無料で置いてあり、誰でも忘れずポケットに入れてスタートするが、新しいゴルファーは、グリーンフォーク自体の必要性の認識がなく、グリーンフォークを持たないので、この名案もいまひとつである。
しかし覚えたてのゴルファーは、特にティーショットには関心が高く、トップや天ぷらのミスの克服に熱心で、ティーセッターには興味を示す。そこで、これらをティーアップの時使うティーセッターに組み付けると、必要性を感じ携帯するようになるので、必然的にグリーンフォークとマーカーとティーセッターを一緒に携帯する事になる。
小さく携帯に邪魔にならない、使いやすく機能的に優れたものが待ち望まれている。
【０００９】
特許文献３は、ティーに目盛りをつけて高さを調節するとあり、簡単にティーアップの高さ設定が出来そうに思えるが、これはティー自体にそのような高機能をつけて、その高機能分の付加を付けた料金でティー自体を販売するのが目的なので、ゴルフ場に行くと無料で提供されているような、一般のティーを使ってティーアップの高さを設定するという考え方は示されていない。
また、ティーは折れたりする消耗品なので、その都度そのような高機能のティーを購入することは割高になる。
【課題を解決するための手段】
【００１０】
前記課題を解決するために本考案が提供するティーセッターは、次の（１）〜（４）に記載のものである。
（１）ゴルフボールを地面にティーアップする際の、ティーの地面からの高さを所望の高さに設定するためのティーセッターであって、ティーセッター本体とその下端部に設けた地面への接地部と、その接地部からティーの高さを設定するためのストッパーを備えていることを特徴とするティーセッター（以下ティーセッターＴ１という）。
（２）前記ティーセッター本体の上端部に、グリーン上にボールが落下したときの衝撃で出来たディポットを、修復するときに使うグリーンフォークを備えていることを特徴とするティーセッター（以下ティーセッターＴ２という）。
（３）前記ティーセッター本体の中央部に、着脱可能に取り付けたマーカーを備えていることを特徴とするティーセッター（以下ティーセッターＴ３という）。
（４）前記ストッパーは、目盛りを付けた上下に動かせるスライダー板に取り付け、そのスライダー板を任意の位置に固定するスライダー板固定ダイヤルを設け、所望の高さに位置決めして個定出来る構成とした事を特徴とするティーセッター（以下ティーセッターＴ４という）。
【００１１】
本考案は、前記課題を解決するために前記手段を講じたものであり、ゴルフ場に置いてあるような一般のティーが使えて、このティーを親指で押さえて保持し地面に突き刺すことで、一度の動作でゴルフボールの地面からの高さを所望の位置に設定ができて、かつ、グリーンフォークの機能を有し、同時にマーカーが常備されたティーセッターを提供することを目的とする。
【考案の効果】
【００１２】
本考案のティーセッターはゴルフボールのティーアップの高さを、プレイヤー自身で所望の高さに設定ができ、常に設定したその高さにゴルフボールをティーアップ出来る。
その高さもドライバー用の高目と低目、裏面にアイアン用の高目と低目など、高さを多段に設定することで、ティーの高さを即座に選び、迅速なプレーが出来る。
また、その高さの設定変更は何時でも何処でも簡単にできるので、必要なら、その日の調子やそのホールの風向きに合わせて、すぐに高さを変えて使い分けることも出来て、その高さも目盛りで読み取ることが出来る。
このことでティーショットはいつでもナイスショットが期待できるようになる。
さらに、このティーセッターにグリーン上で使うグリーンフォークとマーカーを取り付けたことで、プレーの必需品が一度に携帯できるので、ゴルファーの大切なマナーであるディポットの修復もすぐ実行することが出来て、続けてボールマークが行え、スムーズなプレーの進行が出来る。しかも、大きさも重さも普通のグリーンフォークと変わらないので、ポケットに入れてもかさばらずプレーの邪魔にならない。
この事でこれから先は、マナーの行き届いた楽しいゴルフが楽しめるようになる。
【考案を実施するための最良の形態】
【００１３】
ティーセッター本体と、その下端部に設けた地面への接地部と、その接地部からティーの高さを設定するためのストッパーを備えていて、そのストッパーにティーの載置面を合わせ、そのティーを親指で押さえたままティーの下端の尖った部分を地面に突き刺し、接地部が地面へ接した時、接地部からストッパーまでが所望のティーアップの高さとなり、その高さを目盛りで読み取れるようにした。
同時に本体の接地部と反対側にグリーンフォークを取り付け、本体中央部へ着脱可能なマーカーを保持できるようにした。
【実施例】
【００１４】
図１は実施例のティーセッターＴ１である。
このティーセッターＴ１はティーセッター本体１と、その下端部に設けた地面への接地部６と、その接地部からティーの高さを設定するためのストッパー５とより構成したものである。
これを使用するときは、ストッパー５にティー３１の載置面３２を合わせ、そのティーを親指で押さえたままティー先端３３を地面に突き刺し、接地部６が地面へ接した所で止める。接地部６からストッパー５までがティーの高さとなり、親指を離してティーセッター１を持ち上げると、ティー３１がティーアップの高さに設定される。
また、ストッパー５にティー３１の載置面３２を当てて親指で押さえて保持した時、そのティーが安定するようにティーセッター本体１の下端部に軸受け窪み７を設けた。この軸受け窪み７を付けた接地部６は安定板８として機能する。
図１（ｂ）はティーセッターＴ１の使用状態を示す側面図である。
【００１５】
図２は実施例のティーセッターＴ２である。前記ティーセッター本体の上端部に、グリーン上にボールが落下したときの衝撃で出来たディポットを、修復するときに使うグリーンフォークを備えていることを特徴とするティーセッターである。
ティーセッター本体２に固定ストッパー台９を設け、ここにストッパー５を付け、本体の接地部６と反対側に、グリーンフォーク３４を付けた。このティーセッターにグリーンフォークを取り付けたことで、ゴルファーの大切なマナーであるディポットの修復もすぐ実行することが出来る。
【００１６】
図３は実施例のティーセッターＴ３である。前記ティーセッター本体の中央部に、着脱可能に取り付けたマーカーを備えていることを特徴とするティーセッターである。
ティーセッター本体３の中央付近の裏側からマーカー３５の突起、マーカー突起３６が差し込めて、マーカー３５を保持できるような穴、マーカー取り付け穴３７を設けて、マーカーを差し込んで保持できるようにした。
図３はティーセッターＴ３の裏側からマーカーを取り付けた時の、ティーセッターＴ３の背面図である。
また、前記マーカー３５の保持は、ティーセッター本体３を磁性体が付く素材として、マーカーに磁性体をつけて磁気吸着とする方法でも良いし、その他の方法でも良い。
また、このティーセッターにグリーン上で使うグリーンフォークと、マーカーを取り付けたことで、プレーの必需品が一度に携帯できるので、今まで長短色々なティーやグリーンフォークやマーカーなど、一緒にごちゃごちゃと入っていたポケットから手探りでマーカーを探していた手間が省け、ディポットの修復のため必ず取り出すグリーンフォークとマーカーが、一緒に取り出せて迅速なプレーが遂行出来る。
【００１７】
図４は実施例のティーセッターＴ４である。前記ストッパーは、ティーセッター本体のスライダー板ガイドと、上下に移動する目盛り付スライダー板と、スライダーを固定するスライダー板固定ダイヤルよりなることを特徴とするティーセッターである。
前記ストッパー５は、ティーセッター本体４の中央部に設けたスライダー板ガイド１２と、このガイドに案内されて上下に移動する目盛り付スライダー板１０と、スライダーをティーセッター本体４に固定するスライダー板固定ダイヤル１１よりなり、ストッパー５を目盛り付スライダー板１０に取り付け、所望の高さに位置決めしてスライダー板固定ダイヤル１１で個定出来る構成とした。
また、目盛り付スライダー板１０に目盛り１３を、スライダー板ガイド１２に目盛りの基点１４を印し、ティーアップの高さを目盛りで読み取れるようにした。
【００１８】
図５はティーセッターＴ４の実施例２である。
図５（ａ）のようにティーセッター本体４の反対側にスライダー板ガイド１２ｂを取り付けて、別の高さのストッパー５ｃを設けて、両面で２段階の高さを設定して、ドライバー用とアイアン用とに使い分けられるようにした。
図５（ｂ）はティーの軸が収まる軸受け窪み７を付けた安定板８を、該ティーセッター４の下端の接地部６方向から見た図である。
【００１９】
図６はティーセッターＴ４の実施例３である。
図６（ａ）のようにティーセッター本体４のスライダー板ガイド１２に、ストッパー５ａと５ｂの２箇所を設けて、同様に裏にもスライダー板ガイド１２ｂを取り付け、別の高さのストッパー５ｃと５ｄを取り付けて、合計４箇所の異なる高さを設定した。その日の調子に合わせてドライバー用高目と低目、アイアン用高目と低目として、使い分けられるようにした。又、マーカー取り付け穴３７を、ティーセッター本体４の中央付近へ設けた。
図６（ｂ）はティーの軸が収まる軸受け窪み７を付けた安定板８を、該ティーセッター４の下端の接地部６方向から見た図である。
【００２０】
図７はティーセッターＴ４の実施例３の使用状態の側面図である。
ティーセッターＴ４にマーカー３５を取り付けて、ティー３１の載置面３２をストッパー５に合わせ、ティー３１の軸を軸受け窪み７に収め、親指３８で安定板８へ押さえ付けて保持し、ティー先端３３を地面に突き刺した所の側面図である。
親指３８を離して該ティーセッターＴ４を持ち上げると、ティー３１が地面に残り、その高さがゴルフボールのティーアップの高さとなる。
【００２１】
図８はティーセッターＴ４の実施例４である。
前記ストッパーは、雄ネジとこれを螺合する雌ネジとより構成され、ティーの高さを決める雄ネジ式ストッパー１５を、雄ネジ棒１６の先端に設け、雌ネジの付けられた調節リング１７を取り付けたリング式自在ストッパー保持部１８をティーセッター本体４中央部へ設け、この調節リング１７を回す事でストッパーの位置を調節して、任意の高さに設定出来るようにした。
図８（ｂ）は該ティーセッターＴ４の側面図である。
【００２２】
図９はティーセッターＴ４の実施例５である。
ティーセッター本体４に、市販ネジ１９を挿入するネジ式ストッパー取り付け台２０を設け、これに市販ネジ１９を挿入し、このネジの頭をネジ頭ストッパー２１として使用するようにした。この市販ネジ１９をねじ込み調節することでネジ頭ストッパー２１の高さを変え、ティーアップの高さを設定出来るようにした。
【００２３】
図１０はティーセッターＴ４の実施例６である。
ティーの高さを決める突起ストッパー２３を複数個設けた回転ストッパー台２２を、自由に回転できる回転軸２４でティーセッター本体４に取り付けた。
その突起ストッパー２３は回転ストッパー台２２を回すことで、回転軸２４から突起ストッパー２３までの長さがそれぞれ異なるような突起ストッパー２３、２３ｂ、２３ｃ、２３ｄとして、この回転ストッパー台２２を回して突起ストッパー２３を選ぶことで、該ティーセッター本体４の接地部６から突起ストッパー２３までの長さが決まり、これがティーアップの高さとなるようにした。その異なる高さを高目用、低目用と任意に使い分けられるようにした。
また、裏面に同様の回転ストッパー台２２ｂを回転軸２４ｂで付けて、アイアン用として、更に複数個の高さが自由に使えるようにした。
【００２４】
図１１はティーセッターＴ４の実施例７である。
ティーセッター本体４に、市販ネジ１９をねじ込むことが出来るねじ穴２５を複数個設け、そこにねじ込んだ市販ネジ１９の頭をティー３１の載置面３２に当てるネジ頭ストッパー２１ｂとしたもので、市販ネジ１９を挿入するねじ穴２５を選ぶことでティーの高さを選択出来るようにした。
また、裏表両面から異なる穴を選び市販ネジ１９を挿入することで、ドライバーとアイアンなど２段階の高さを設定して使用出来るようにした。
【００２５】
図１２はティーセッターＴ１の実施例２でティーセッター単体としての使用例である。
ティーセッターＴ１に、図８のリング式自在ストッパーを取り付けた例で、ティーの高さを決める雄ネジ式ストッパー１５を、雄ネジ棒１６の先端に設け、雌ネジの付けられた調節リング１７を取り付けたリング式自在ストッパー保持部１８をティーセッター本体１中央部へ設け、この調節リング１７を回す事でストッパーの位置を調節して、任意の高さに設定出来るようにした。
また、反対側に高さを変えて雄ネジ式ストッパー１５ｂを設け、アイアン用に分けて使用する事ができるようにした。
図１２（ｂ）は該ティーセッターＴ１の雄ネジ式ストッパー１５にティー３１の載置面３２を当ててセットして、ティー先端３３を地中に突き刺した所の側面図である。
【産業上の利用可能性】
【００２６】
本考案にかかわるティーセッターは、ゴルフ場において最初に打ち始めるティーショットのティーアップの高さを、所望の高さに設定する事ができるものです。
休日を楽しみにして来たゴルフの最初の一打が、ナイスショットとチョロでは、その日１日の楽しさが天と地の差になってしまいます。
本考案のティーセッターを使用することで、今まで感覚に頼っていたティーアップの高さを、確実に所定の高さに設定できるので、グッドショットの第一打となりその日一日が楽しいゴルフとなりましょう。
またグリーンフォークとマーカーがいつも手元にあるので、ディポットの修復も忘れずに履行し、プレーの進行もスムーズに遂行でき、マナーの行き届いたみんなに愛される、楽しいゴルフライフを送ることが出来るでしょう。
楽しいゴルフは更に熱心なゴルファーを育て、熱心なゴルファーは新しい道具を買い、何度もゴルフプレーを楽しみ、ゴルフ産業を活気づかせる事となるでしょう。
そのようなゴルファーは、情熱的な仕事をし、円満な家庭を営み、社会の発展の礎となるのではないでしょうか。
【図面の簡単な説明】
【００２７】
【図１】実施例のティーセッターＴ１の図。                                          （ａ）は正面図、（ｂ）は使用状態を示す側面図である。
【図２】実施例のティーセッターＴ２の正面図。
【図３】実施例のティーセッターＴ３の背面にマーカーを取り付けた背面図。
【図４】実施例のティーセッターＴ４の斜視図。
【図５】本考案のティーセッターＴ４の実施例２の図。                                （ａ）は側面図、（ｂ）は安定板８を下方から見た図である。
【図６】本考案のティーセッターＴ４の実施例３の図。                                （ａ）は正面図、（ｂ）は安定板８を下方から見た図である。
【図７】本考案のティーセッターＴ４の実施例３の使用状態の側面図である。
【図８】本考案のティーセッターＴ４の実施例４の図。                                （ａ）は正面図、（ｂ）は側面図である。
【図９】本考案のティーセッターＴ４の実施例５の正面図である。
【図１０】本考案のティーセッターＴ４の実施例６の正面図である。
【図１１】本考案のティーセッターＴ４の実施例７の正面図である。
【図１２】本考案のティーセッターＴ１の実施例２の図。                                （ａ）は正面図、（ｂ）は使用例を示す側面図である。
【符号の説明】
【００２８】
Ｔ１〜Ｔ４  ティーセッター
１    ティーセッター本体１
２    ティーセッター本体２
３    ティーセッター本体３
４    ティーセッター本体４
５    ストッパー
６    接地部
７    軸受け窪み
８    安定版
９    固定ストッパー台
１０  目盛り付スライダー板
１１  スライダー板固定ダイヤル
１２  スライダー板ガイド
１３  目盛り
１４  目盛りの基点
１５  雄ネジ式ストッパー
１６  雄ネジ棒
１７  調節リング
１８  リング式自在ストッパー保持部
１９  市販ネジ
２０  ネジ式ストッパー取り付け台
２１  ネジ頭ストッパー
２２  回転ストッパー台
２３  突起ストッパー
２４  回転軸
２５  ネジ穴
３１  ティー
３２  載置面
３３  ティー先端
３４  グリーンフォーク
３５  マーカー
３６  マーカー突起
３７  マーカー取り付け穴
３８  親指
【図１】
0003144065.tif 000003
【図２】
0003144065.tif 000004
【図３】
0003144065.tif 000005
【図４】
0003144065.tif 000006
【図５】
0003144065.tif 000007
【図６】
0003144065.tif 000008
【図７】
0003144065.tif 000009
【図８】
0003144065.tif 000010
【図９】
0003144065.tif 000011
【図１０】
0003144065.tif 000012
【図１１】
0003144065.tif 000013
【図１２】
0003144065.tif 000014